(57)【特許請求の範囲】
【請求項１】
第１無線基地局配下のセルにおいて通信を行っている移動局が、第２無線基地局配下のセルにハンドオーバし、該第２無線基地局配下のセルにおいて搬送周波数の異なる複数のキャリアを用いて通信する移動通信方法であって、
前記第２無線基地局が、状態設定情報を含むハンドオーバ指示信号を、前記第１無線基地局を介して前記移動局に送信する工程Ａと、
前記移動局が、前記第２無線基地局配下のセルにおいて通信を開始する際に、前記状態設定情報に応じて、前記キャリアの各々をアクティブ状態又は非アクティブ状態のどちらかに設定する工程とを有し、 
前記第１無線基地局が、前記第２無線基地局に対して、該第１無線基地局において前記キャリアの各々がアクティブ状態又は非アクティブ状態のどちらに設定されているかについて示す情報を含むハンドオーバ要求信号を送信する工程とを有することを特徴とする移動通信方法。
【請求項２】
前記第１無線基地局が、前記第２無線基地局に対して、該第１無線基地局と前記移動局との間で送受信されたデータ量を示す情報を含むハンドオーバ要求信号を送信する工程とを有することを特徴とする請求項１に記載の移動通信方法。
【請求項３】
前記第１無線基地局が、前記第２無線基地局に対して、該第１無線基地局において前記移動局のために管理されているバッファリングデータ量を示す情報を含むハンドオーバ要求信号を送信する工程とを有することを特徴とする請求項１に記載の移動通信方法。
【請求項４】
第１無線基地局配下のセルにおいて通信を行っている移動局が、第２無線基地局配下のセルにハンドオーバし、該第２無線基地局配下のセルにおいて搬送周波数の異なる複数のキャリアを用いて通信することができるように構成されている移動通信システムにおいて、該第２無線基地局として機能する無線基地局であって、
前記キャリアの各々がアクティブ状態又は非アクティブ状態のどちらに設定されるべきかについて示す状態設定情報を含むハンドオーバ指示信号を、前記第１無線基地局を介して前記移動局に送信するように構成されている送信部を具備し、 
前記第１無線基地局から、該第１無線基地局において前記キャリアの各々がアクティブ状態又は非アクティブ状態のどちらに設定されているかについて示す情報を含むハンドオーバ要求信号を受信するように構成されている受信部を具備することを特徴とする無線基地局。
【請求項５】
前記第１無線基地局から、該第１無線基地局と前記移動局との間で送受信されたデータ量を示す情報を含むハンドオーバ要求信号を受信するように構成されている受信部を具備することを特徴とする請求項４に記載の無線基地局。
【請求項６】
前記第１無線基地局から、該第１無線基地局において前記移動局のために管理されているバッファリングデータ量を示す情報を含むハンドオーバ要求信号を受信するように構成されている受信部を具備することを特徴とする請求項４に記載の無線基地局。
【請求項７】
第１無線基地局配下のセルにおいて通信を行っている移動局が、第２無線基地局配下のセルにハンドオーバし、該第２無線基地局配下のセルにおいて搬送周波数の異なる複数のキャリアを用いて通信することができるように構成されている移動通信システムにおいて、該第１無線基地局として機能する無線基地局であって、
前記第２無線基地局に対して、該第１無線基地局と前記移動局との間で送受信されたデータ量を示す情報を含むハンドオーバ要求信号を送信するように構成されている送信部を具備することを特徴とする無線基地局。
【請求項８】
第１無線基地局配下のセルにおいて通信を行っている移動局が、第２無線基地局配下のセルにハンドオーバし、該第２無線基地局配下のセルにおいて搬送周波数の異なる複数のキャリアを用いて通信することができるように構成されている移動通信システムにおいて、該第１無線基地局として機能する無線基地局であって、
前記第２無線基地局に対して、該第１無線基地局において前記移動局のために管理されているバッファリングデータ量を示す情報を含むハンドオーバ要求信号を送信するように構成されている送信部を具備することを特徴とする無線基地局。
【請求項９】
第１無線基地局配下のセルにおいて通信を行っている移動局が、第２無線基地局配下のセルにハンドオーバし、該第２無線基地局配下のセルにおいて搬送周波数の異なる複数のキャリアを用いて通信する移動通信方法であって、
前記移動局が、前記第２無線基地局配下のセルにおいて通信を開始する際に、前記移動局が受信したハンドオーバ要求信号に含まれており、前記第１無線基地局において前記キャリアの各々がアクティブ状態又は非アクティブ状態のどちらに設定されているかについて示す情報の内容に関わらず、前記キャリアの全てをアクティブ状態に設定する工程を有することを特徴とする移動通信方法。
【請求項１０】
第１無線基地局配下のセルにおいて通信を行っている場合に、第２無線基地局配下のセルにハンドオーバし、該第２無線基地局配下のセルにおいて搬送周波数の異なる複数のキャリアを用いて通信することができるように構成されている移動局であって、
前記第２無線基地局配下のセルにおいて通信を開始する際に、前記移動局が受信したハンドオーバ要求信号に含まれており、前記第１無線基地局において前記キャリアの各々がアクティブ状態又は非アクティブ状態のどちらに設定されているかについて示す情報の内容に関わらず、前記キャリアの全てをアクティブ状態に設定するように構成されている設定部を具備することを特徴とする移動局。
【発明の詳細な説明】
【技術分野】
【０００１】
本発明は、移動通信方法、移動局及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、移動局ＵＥが、無線基地局ｅＮＢとの間で、搬送周波数の異なる複数のＣＣ（Ｃｏｍｐｏｎｅｎｔ  Ｃａｒｒｉｅｒ）を用いてＣＡ（Ｃａｒｒｉｅｒ  Ａｇｇｒｉｇａｔｉｏｎ）通信を行うことができるように構成されている。
【０００３】
かかる複数のＣＣのうち、下りリンク及び上りリンクのそれぞれにおいて、１つのＣＣが、ＰＣＣ（Ｐｒｉｍａｒｙ  ＣＣ）として特定され、その他のＣＣは、ＳＣＣ（Ｓｅｃｏｎｄａｒｙ  ＣＣ）として扱われる。
【０００４】
なお、ＬＴＥ  Ｒｅｌｅａｓｅ-１０方式におけるＬＴＥ-Ａｄｖａｎｃｅｄ方式では、下りリンク及び上りリンクのそれぞれにおいて、最大で４つのＳＣＣを設定することが可能である。
【０００５】
ここで、ＬＴＥ-Ａｄｖａｎｃｅｄ方式では、ＣＡ通信で用いられているＳＣＣの各々を、アクティブ（Ａｃｔｉｖｅ）状態或いは非アクティブ（Ｄｅａｃｔｉｖｅ）状態のどちらかに設定することができる。ＰＣＣについては、常にアクティブ状態とすることが規定されている。
【０００６】
なお、ＬＴＥ-Ａｄｖａｎｃｅｄ方式では、新規に設定されたＳＣＣは、非アクティブ状態に設定されることが規定されている。
【先行技術文献】
【非特許文献】
【０００７】
【非特許文献１】３ＧＰＰ  Ｒ２-１０２６４５
【発明の概要】
【発明が解決しようとする課題】
【０００８】
しかしながら、ＬＴＥ-Ａｄｖａｎｃｅｄ方式において、ＣＡ通信を行っている移動局が、ハンドオーバを行った場合、ハンドオーバ先セルにおいて、設定された全てのＳＣＣが、非アクティブ状態から開始されてしまうと、ハンドオーバ前と比較して、ハンドオーバ後のユーザスループットが低下し、ハンドオーバする度に、ユーザが体感するＱｏＳ（Ｑｕａｌｉｔｙ  ｏｆ  Ｓｅｒｖｉｃｅ）が著しく劣化してしまうという問題点があった。
【０００９】
例えば、ハンドオーバ元セルで、ＳＣＣが４つ設定されていて、さらにその全てのＳＣＣが、アクティブ状態に設定されており、ＰＣＣと合わせて５つのＣＣを用いてデータの送受信が行われていた状態で、ハンドオーバが発生し、ハンドオーバ先セルでは、設定された全てのＳＣＣが非アクティブ状態で開始してしまうと、ハンドオーバ直後は、ＰＣＣのみでしかデータの送受信を行うことができないため、ハンドオーバ前と比較して、ユーザスループットが低下し、ユーザが体感するＱｏＳが劣化してしまっていた。
【００１０】
そこで、本発明は、上述の課題に鑑みてなされたものであり、ＣＡ通信を行っている移動局のハンドオーバ直後のユーザスループットの低下、及び、それに伴うユーザ体感ＱｏＳの劣化を低減し、かつ、移動局の電力の浪費を低減することができる移動通信方法、移動局及び無線基地局を提供することを目的とする。
【課題を解決するための手段】
【００１１】
本発明の第１の特徴は、第１無線基地局配下のセルにおいて通信を行っている移動局が、第２無線基地局配下のセルにハンドオーバし、該第２無線基地局配下のセルにおいて搬送周波数の異なる複数のキャリアを用いて通信する移動通信方法であって、前記第２無線基地局が、状態設定情報を含むハンドオーバ指示信号を、前記第１無線基地局を介して前記移動局に送信する工程Ａと、前記移動局が、前記第２無線基地局配下のセルにおいて通信を開始する際に、前記状態設定情報に応じて、前記キャリアの各々をアクティブ状態又は非アクティブ状態のどちらかに設定する工程とを有することを要旨とする。
【００１２】
本発明の第２の特徴は、第１無線基地局配下のセルにおいて通信を行っている場合に、第２無線基地局配下のセルにハンドオーバし、該第２無線基地局配下のセルにおいて搬送周波数の異なる複数のキャリアを用いて通信することができるように構成されている移動局であって、前記第２無線基地局配下のセルにおいて通信を開始する際に、受信したハンドオーバ指示信号に含まれている状態設定情報に応じて、前記キャリアの各々をアクティブ状態又は非アクティブ状態のどちらかに設定するように構成されている設定部を具備することを要旨とする。
【００１３】
本発明の第３の特徴は、第１無線基地局配下のセルにおいて通信を行っている移動局が、第２無線基地局配下のセルにハンドオーバし、該第２無線基地局配下のセルにおいて搬送周波数の異なる複数のキャリアを用いて通信することができるように構成されている移動通信システムにおいて、該第２無線基地局として機能する無線基地局であって、前記キャリアの各々がアクティブ状態又は非アクティブ状態のどちらに設定されるべきかについて示す状態設定情報を含むハンドオーバ指示信号を、前記第１無線基地局を介して前記移動局に送信するように構成されている送信部を具備することを要旨とする。
【００１４】
本発明の第４の特徴は、第１無線基地局配下のセルにおいて通信を行っている移動局が、第２無線基地局配下のセルにハンドオーバし、該第２無線基地局配下のセルにおいて搬送周波数の異なる複数のキャリアを用いて通信する移動通信方法であって、前記移動局が、前記第２無線基地局配下のセルにおいて通信を開始する際に、前記キャリアの全てをアクティブ状態に設定する工程を有することを要旨とする。
【００１５】
本発明の第５の特徴は、第１無線基地局配下のセルにおいて通信を行っている場合に、第２無線基地局配下のセルにハンドオーバし、該第２無線基地局配下のセルにおいて搬送周波数の異なる複数のキャリアを用いて通信することができるように構成されている移動局であって、前記第２無線基地局配下のセルにおいて通信を開始する際に、前記キャリアの全てをアクティブ状態に設定するように構成されている設定部を具備することを要旨とする。
【発明の効果】
【００１６】
以上説明したように、本発明によれば、ＣＡ通信を行っている移動局のハンドオーバ直後のユーザスループットの低下、及び、それに伴うユーザ体感ＱｏＳの劣化を低減し、かつ、移動局の電力の浪費を低減することができる移動通信方法、移動局及び無線基地局を提供することができる。
【図面の簡単な説明】
【００１７】
【図１】本発明の第１の実施形態に係る移動通信システムの全体構成図である。
【図２】本発明の第１の実施形態に係る移動通信システムで行われているＣＡ通信について説明するための図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作を示すシーケンス図である。
【発明を実施するための形態】
【００１８】
（本発明の第１の実施形態に係る移動通信システム）
図１乃至図５を参照して、本発明の第１の実施形態に係る移動通信システムの構成について説明する。
【００１９】
本実施形態に係る移動通信システムは、ＬＴＥ-Ａｄｖａｎｃｅｄ方式の移動通信システムであって、本実施形態に係る移動通信システムにおいて、移動局ＵＥは、搬送周波数の異なる複数のＣＣを用いてＣＡ通信を行うことができるように構成されている。
【００２０】
図１に示すように、本実施形態に係る移動通信システムでは、無線基地局ｅＮＢ＃１配下のセル＃１において通信を行っている移動局ＵＥが、無線基地局ｅＮＢ＃２配下のセル＃２にハンドオーバするケースを例に挙げて説明する。
【００２１】
また、本実施形態に係る移動通信システムでは、図２に示すように、移動局ＵＥは、ＵＬ  ＰＣＣ（Ｕｐｌｉｎｋ  Ｐｒｉｍａｒｙ  Ｃｏｍｐｏｎｅｎｔ  Ｃａｒｒｉｅｒ）と、ＵＬ  ＳＣＣ（Ｕｐｌｉｎｋ  Ｓｅｃｏｎｄａｒｙ  Ｃｏｍｐｏｎｅｎｔ  Ｃａｒｒｉｅｒ）＃１と、ＵＬ  ＳＣＣ＃２と、ＤＬ  ＰＣＣ（Ｄｏｗｎｌｉｎｋ  Ｐｒｉｍａｒｙ  Ｃｏｍｐｏｎｅｎｔ  Ｃａｒｒｉｅｒ）と、ＤＬ  ＳＣＣ＃１と、ＤＬ  ＳＣＣ＃２とを用いて、ＣＡ通信を行うものとする。
【００２２】
なお、無線基地局ｅＮＢ＃１の機能及び無線基地局ｅＮＢ＃２の機能は、基本的に同一であるため（すなわち、ハンドオーバ元無線基地局としての動作及びハンドオーバ先無線基地局としての動作は異なるが、ある無線基地局ｅＮＢは、その両方の動作をサポートしうるため）、以下、これらを総称して無線基地局ｅＮＢとして説明する。図３に示すように、無線基地局ｅＮＢは、ＲＲＣ（Ｒａｄｉｏ  Ｒｅｓｏｕｒｃｅ  Ｃｏｎｔｒｏｌ）レイヤ機能部１１と、ＭＡＣ（Ｍｅｄｉａ  Ａｃｃｅｓｓ  Ｃｏｎｔｒｏｌ）レイヤ機能部１２と、ハンドオーバ処理部１３とを具備している。
【００２３】
ＲＲＣレイヤ機能１１は、移動局ＵＥとの間で、ＲＲＣレイヤにおける処理を行うように構成されている。
【００２４】
例えば、ＲＲＣレイヤ機能１１は、ＲＲＣメッセージ（例えば、「ＲＲＣ  Ｒｅｃｏｎｆｉｇｕｒａｔｉｏｎ」メッセージ等）を用いて、ＣＡ通信に対応している移動局ＵＥに対して、新規にＣＣの追加や、既存のＣＣの削除や、ＰＣＣの変更を指示することができるように構成されている。
【００２５】
ここで、移動局ＵＥが、ＲＲＣ_Ｉｄｌｅ状態からＲＲＣ_Ｃｏｎｎｅｃｔｅｄ状態に遷移し、ＬＴＥ（Ｒｅｌｅａｓｅ８/９）方式の場合と同様に、１つの下りリンクキャリア及び１つの上りリンクキャリアを用いて通信を開始した後に、ＲＲＣレイヤ機能１１が、ＲＲＣメッセージを用いて、２つ目以降の下りリンクキャリア及び上りリンクキャリアの追加を指示するように構成されている。
【００２６】
ＭＡＣレイヤ機能部１２は、移動局ＵＥとの間で、ＭＡＣレイヤにおける処理を行うように構成されている。
【００２７】
例えば、ＭＡＣレイヤ機能部１２は、「ＭＡＣ  Ｃｏｎｔｒｏｌ  Ｅｌｅｍｅｎｔ（ＭＡＣ制御要素）」を用いて、ＣＡ通信で用いられている各ＣＣの状態（アクティブ状態又は非アクティブ状態）の設定を指示するように構成されている。
【００２８】
ここで、ＭＡＣレイヤ機能部１２は、ＤＬ  ＳＣＣの状態の設定のみを指示することができ、ＤＬ  ＰＣＣやＵＬ  ＰＣＣやＵＬ  ＳＣＣの状態の設定を指示することができないように構成されていてもよい。
【００２９】
すなわち、ＤＬ  ＰＣＣやＵＬ  ＰＣＣやＵＬ  ＳＣＣの状態は、常に、アクティブ状態となっていてもよい。
【００３０】
なお、ＬＴＥ-Ａｄｖａｎｃｅｄ方式では、ＤＬ  ＳＣＣの状態は、ＤＬ  ＳＣＣが新規に追加された直後は、非アクティブ状態に設定されるように構成されているため、ＤＬ  ＳＣＣにてデータの送受信を行う場合、当該ＤＬ  ＳＣＣが追加された後に、ＭＡＣレイヤ機能部１２が、移動局ＵＥに対して、「ＭＡＣ  Ｃｏｎｔｒｏｌ  Ｅｌｅｍｅｎｔ」を用いて、当該ＤＬ  ＳＣＣの状態の設定を、アクティブ状態への変更を指示するように構成されている。
【００３１】
ハンドオーバ処理部１３は、移動局ＵＥがハンドオーバを行うために必要な処理を行うように構成されている。
【００３２】
ここで、無線基地局ｅＮＢがハンドオーバ先無線基地局として動作する場合のハンドオーバ処理部１３は、ハンドオーバ元無線基地局から「Ｈａｎｄｏｖｅｒ  Ｒｅｑｕｅｓｔ」等を受信したり、移動局ＵＥ宛の「Ｈａｎｄｏｖｅｒ  Ｃｏｍｍａｎｄ」等を生成したり、ハンドオーバ元無線基地局に対して移動局ＵＥ宛の「Ｈａｎｄｏｖｅｒ  Ｃｏｍｍａｎｄ」を含む「Ｈａｎｄｏｖｅｒ  Ｒｅｑｕｅｓｔ  Ａｃｋ」等を送信したりするように構成されている。
【００３３】
例えば、ハンドオーバ処理部１３は、ハンドオーバ先無線基地局で移動局ＵＥとの間でＣＡ通信を行うことを決定した場合に、ＣＡ通信のために使用する複数のＣＣの設定情報を含む「Ｈａｎｄｏｖｅｒ  Ｃｏｍｍａｎｄ」を生成してもよい。
【００３４】
この際、ハンドオーバ処理部１３は、ハンドオーバ直後にＣＣの各々がアクティブ状態又は非アクティブ状態のどちらに設定されるべきかについて示す「Ａｃｔｉｖａｔｉｏｎ/Ｄｅａｃｔｉｖａｔｉｏｎ  Ｓｔａｔｕｓ」を決定し、かかる「Ａｃｔｉｖａｔｉｏｎ/Ｄｅａｃｔｉｖａｔｉｏｎ  Ｓｔａｔｕｓ」も含む形で「Ｈａｎｄｏｖｅｒ  Ｃｏｍｍａｎｄ」を生成してもよい。
【００３５】
そして、ハンドオーバ処理部１３は、生成した「Ｈａｎｄｏｖｅｒ  Ｃｏｍｍａｎｄ」を、ハンドオーバ元無線基地局を介して移動局ＵＥに送信するように構成されていてもよい。
【００３６】
具体的には、ハンドオーバ処理部１３は、生成した「Ｈａｎｄｏｖｅｒ  Ｃｏｍｍａｎｄ」を「Ｈａｎｄｏｖｅｒ  Ｒｅｑｕｅｓｔ  Ａｃｋ」に含めてハンドオーバ元無線基地局に送信し、ハンドオーバ元無線基地局が、当該「Ｈａｎｄｏｖｅｒ  Ｃｏｍｍａｎｄ」を移動局ＵＥに対して送信するように構成されていてもよい。
【００３７】
ここで、ハンドオーバ処理部１３は、移動局ＵＥとの間で送受信され得るデータ量が多い場合には、より多くのＤＬ  ＳＣＣをアクティブ状態にするように、「Ａｃｔｉｖａｔｉｏｎ/Ｄｅａｃｔｉｖａｔｉｏｎ  Ｓｔａｔｕｓ」を決定することによって、ハンドオーバ直後の移動局ＵＥのユーザスループットを向上させることができる。
【００３８】
一方、ハンドオーバ処理部１３は、移動局ＵＥとの間で送受信され得るデータ量が少ない場合には、必要最低限のＤＬ  ＳＣＣのみをアクティブ状態にするように、「Ａｃｔｉｖａｔｉｏｎ/Ｄｅａｃｔｉｖａｔｉｏｎ  Ｓｔａｔｕｓ」を決定することによって、ハンドオーバ直後の移動局ＵＥの消費電力を低減することができる。
【００３９】
具体的には、ハンドオーバ処理部１３は、ハンドオーバ元無線基地局から「Ｈａｎｄｏｖｅｒ  Ｒｅｑｕｅｓｔ」にて通知される、“「Ａｃｔｉｖａｔｉｏｎ/Ｄｅａｃｔｉｖａｔｉｏｎ  Ｓｔａｔｕｓ」を決定するための補助情報”に基づいて、ハンドオーバ直後にＣＣの各々がアクティブ状態又は非アクティブ状態のどちらに設定されるべきかについてを示す「Ａｃｔｉｖａｔｉｏｎ/Ｄｅａｃｔｉｖａｔｉｏｎ  Ｓｔａｔｕｓ」を決定するように構成されていてもよい。
【００４０】
一方で、無線基地局ｅＮＢがハンドオーバ元無線基地局として動作する場合のハンドオーバ処理部１３は、ハンドオーバ先無線基地局に対して「Ｈａｎｄｏｖｅｒ  Ｒｅｑｕｅｓｔ」等を送信したり、ハンドオーバ先無線基地局から「Ｈａｎｄｏｖｅｒ  Ｒｅｑｕｅｓｔ  Ａｃｋ」等を受信したり、移動局ＵＥに対して「Ｈａｎｄｏｖｅｒ  Ｃｏｍｍａｎｄ」等を送信したり、移動局ＵＥから「Ｍｅａｓｕｒｅｍｅｎｔ  Ｒｅｐｏｒｔ」等を受信したりするように構成されている。
【００４１】
例えば、ハンドオーバ処理部１３は、ハンドオーバ元無線基地局で移動局ＵＥとの間でＣＡ通信を行っていた場合に、ハンドオーバ先無線基地局に対して送信する「Ｈａｎｄｏｖｅｒ  Ｒｅｑｕｅｓｔ」に、“「Ａｃｔｉｖａｔｉｏｎ/Ｄｅａｃｔｉｖａｔｉｏｎ  Ｓｔａｔｕｓ」を決定するための補助情報”を含めるように構成されていてもよい。
【００４２】
具体的には、ハンドオーバ処理部１３は、“「Ａｃｔｉｖａｔｉｏｎ/Ｄｅａｃｔｉｖａｔｉｏｎ  Ｓｔａｔｕｓ」を決定するための補助情報”として、ハンドオーバ元無線基地局においてＣＣの各々がアクティブ状態又は非アクティブ状態のどちらに設定されているかについて示す情報を、「Ｈａｎｄｏｖｅｒ  Ｒｅｑｕｅｓｔ」に含めてハンドオーバ先無線基地局に対して送信するように構成されていてもよい。
【００４３】
例えば、ハンドオーバ元無線基地局においてＣＣの各々がアクティブ状態又は非アクティブ状態のどちらに設定されているかについて示す情報は、ハンドオーバ元無線基地局においてアクティブ状態（又は、非アクティブ状態）に設定されているＤＬ  ＳＣＣの数を示す情報であってもよい。
【００４４】
また、ハンドオーバ処理部１３は、“「Ａｃｔｉｖａｔｉｏｎ/Ｄｅａｃｔｉｖａｔｉｏｎ  Ｓｔａｔｕｓ」を決定するための補助情報”として、ハンドオーバ元無線基地局と移動局ＵＥとの間で送受信されたデータ量を示す情報を、「Ｈａｎｄｏｖｅｒ  Ｒｅｑｕｅｓｔ」に含めてハンドオーバ先無線基地局に対して送信するように構成されていてもよい。
【００４５】
例えば、ハンドオーバ元無線基地局と移動局ＵＥとの間で送受信されたデータ量を示す情報は、所定期間においてハンドオーバ元無線基地局と移動局ＵＥとの間で送受信されたデータ量を示す情報であってもよいし、ハンドオーバ元無線基地局と移動局ＵＥとの間の平均ユーザスループットを示す情報であってもよい。
【００４６】
さらに、ハンドオーバ処理部１３は、“「Ａｃｔｉｖａｔｉｏｎ/Ｄｅａｃｔｉｖａｔｉｏｎ  Ｓｔａｔｕｓ」を決定するための補助情報”として、ハンドオーバ先無線基地局において移動局ＵＥのために管理されているバッファリングデータ量を示す情報を、「Ｈａｎｄｏｖｅｒ  Ｒｅｑｕｅｓｔ」に含めてハンドオーバ先無線基地局に対して送信するように構成されていてもよい。
【００４７】
図４に示すように、移動局ＵＥは、ＲＲＣレイヤ機能部２１と、ＭＡＣレイヤ機能部２２と、通信部２３とを具備している。
【００４８】
ＲＲＣレイヤ機能２１は、無線基地局ｅＮＢとの間で、ＲＲＣレイヤにおける処理を行うように構成されている。
【００４９】
例えば、移動局ＵＥが、ＣＡ通信を行っている場合、ＲＲＣレイヤ機能２１は、無線基地局ｅＮＢのＲＲＣレイヤ機能１１からの指示（具体的には、ＲＲＣメッセージ）に応じて、新規にＣＣを追加したり、既存のＣＣを削除したり、ＰＣＣを変更したりすることができるように構成されている。
【００５０】
ＭＡＣレイヤ機能部２２は、無線基地局ｅＮＢとの間で、ＭＡＣレイヤにおける処理を行うように構成されている。
【００５１】
例えば、移動局ＵＥが、ＣＡ通信を行っている場合、ＭＡＣレイヤ機能２２は、無線基地局ｅＮＢのＭＡＣレイヤ機能１２からの指示（具体的には、「ＭＡＣ  Ｃｏｎｔｒｏｌ  Ｅｌｅｍｅｎｔ」）に応じて、ＣＡ通信で用いられている各ＣＣの状態（アクティブ状態又は非アクティブ状態）を設定するように構成されている。
【００５２】
通信部２３は、ＲＲＣレイヤ機能２１及びＭＡＣレイヤ機能部２２によって設定されたＤＬ  ＣＣ及びＵＬ  ＣＣを用いて、ＣＡ通信を行うように構成されている。
【００５３】
以下、図５を参照して、本実施形態に係る移動通信システムの動作について説明する。
【００５４】
図５に示すように、ステップＳ１００１において、無線基地局ｅＮＢ＃１配下のセル＃１においてＣＡ通信を行っている移動局ＵＥが、無線基地局ｅＮＢ＃１に対して「Ｍｅａｓｕｒｅｍｅｎｔ  Ｒｅｐｏｒｔ」を送信する。
【００５５】
ステップＳ１００２において、無線基地局ｅＮＢ＃１は、移動局ＵＥの無線基地局ｅＮＢ＃１配下のセル＃１から無線基地局ｅＮＢ＃２配下のセル＃２へのハンドオーバを行うことを決定すると、無線基地局ｅＮＢ＃２に対して、「Ｈａｎｄｏｖｅｒ  Ｒｅｑｕｅｓｔ」を送信する。
【００５６】
無線基地局ｅＮＢ＃２は、ステップＳ１００３において、移動局ＵＥとの間でＣＡ通信を行うことを決定した場合に、「Ｈａｎｄｏｖｅｒ  Ｒｅｑｕｅｓｔ」に含まれている情報（例えば、無線基地局ｅＮＢ＃１においてＣＣの各々がアクティブ状態又は非アクティブ状態のどちらに設定されているかについて示す情報や、無線基地局ｅＮＢ＃１と移動局ＵＥとの間で送受信されたデータ量を示す情報や、無線基地局ｅＮＢ＃１において移動局ＵＥのために管理されているバッファリングデータ量を示す情報等）等に基づいて、セル＃２においてＣＡ通信のために使用されるＣＣの各々がアクティブ状態又は非アクティブ状態のどちらに設定されるべきかについて決定し、ステップＳ１００４において、無線基地局ｅＮＢ＃１に対して、かかる決定結果を示す「Ａｃｔｉｖａｔｉｏｎ/Ｄｅａｃｔｉｖａｔｉｏｎ  Ｓｔａｔｕｓ」を含む「Ｈａｎｄｏｖｅｒ  Ｃｏｍｍａｎｄ」を含む「Ｈａｎｄｏｖｅｒ  Ｒｅｑｕｅｓｔ  Ａｃｋ」を送信する。
【００５７】
ステップ１００５において、無線基地局ｅＮＢ＃１は、移動局ＵＥに対して、「Ａｃｔｉｖａｔｉｏｎ/Ｄｅａｃｔｉｖａｔｉｏｎ  Ｓｔａｔｕｓ」を含む「Ｈａｎｄｏｖｅｒ  Ｃｏｍｍａｎｄ」を送信する。
【００５８】
ここで、移動局ＵＥは、受信した「Ｈａｎｄｏｖｅｒ  Ｃｏｍｍａｎｄ」に含まれる「Ａｃｔｉｖａｔｉｏｎ/Ｄｅａｃｔｉｖａｔｉｏｎ  Ｓｔａｔｕｓ」に基づいて、「Ｈａｎｄｏｖｅｒ  Ｃｏｍｍａｎｄ」における要求に従って、各ＣＣをアクティブ状態又は非アクティブ状態のどちらかに設定し、セル＃２におけるＣＡ通信を開始する。
【００５９】
本実施形態に係る移動通信システムによれば、移動局ＵＥは、ハンドオーバ先の無線基地局によって生成される「Ｈａｎｄｏｖｅｒ  Ｃｏｍｍａｎｄ」に含まれる「Ａｃｔｉｖａｔｉｏｎ/Ｄｅａｃｔｉｖａｔｉｏｎ  Ｓｔａｔｕｓ」に基づいて、ハンドオーバ直後の各ＣＣをアクティブ状態又は非アクティブ状態のどちらかに設定することができるので、ＣＡ通信を行っている移動局のハンドオーバ直後のユーザスループットの低下、及び、それに伴うユーザ体感ＱｏＳの劣化を低減することができ、かつ、移動局ＵＥの電力の浪費を低減することができる。
【００６０】
（変更例１）
本発明の変更例１に係る移動通信システムでは、無線基地局ｅＮＢ＃１配下のセル＃１において通信を行っている移動局ＵＥ（ＭＡＣレイヤ機能２２）が、無線基地局ｅＮＢ＃２配下のセル＃２にハンドオーバし、セル＃２においてＣＡ通信を開始する際に、ＣＣの全ての状態をアクティブ状態に設定するように構成されている。
【００６１】
以上に述べた本実施形態の特徴は、以下のように表現されていてもよい。
【００６２】
本実施形態の第１の特徴は、無線基地局ｅＮＢ＃１（第１無線基地局）配下のセル＃１において通信を行っている移動局ＵＥが、無線基地局ｅＮＢ＃２（第２無線基地局）配下のセル＃２にハンドオーバし、無線基地局ｅＮＢ＃２配下のセル＃２において搬送周波数の異なる複数のキャリアを用いて通信する移動通信方法であって、無線基地局ｅＮＢ＃２が、「Ａｃｔｉｖａｔｉｏｎ/Ｄｅａｃｔｉｖａｔｉｏｎ  Ｓｔａｔｕｓ（状態設定情報）」を含む「Ｈａｎｄｏｖｅｒ  Ｃｏｍｍａｎｄ（ハンドオーバ指示信号）」を、無線基地局ｅＮＢ＃１を介して移動局ＵＥに送信する工程Ａと、移動局ＵＥが、無線基地局ｅＮＢ＃２配下のセル＃２において通信を開始する際に、「Ａｃｔｉｖａｔｉｏｎ/Ｄｅａｃｔｉｖａｔｉｏｎ  Ｓｔａｔｕｓ」に応じて、ＣＣの各々を、アクティブ状態又は非アクティブ状態のどちらかに設定する工程とを有することを要旨とする。
【００６３】
本実施形態の第１の特徴において、無線基地局ｅＮＢ＃１が、無線基地局ｅＮＢ＃２に対して、無線基地局ｅＮＢ＃１においてＣＣの各々がアクティブ状態又は非アクティブ状態のどちらに設定されているかについて示す情報を含む「Ｈａｎｄｏｖｅｒ  Ｒｅｑｕｅｓｔ（ハンドオーバ要求信号）」を送信する工程とを有してもよい。
【００６４】
本実施形態の第１の特徴において、無線基地局ｅＮＢ＃１が、無線基地局ｅＮＢ＃２に対して、無線基地局ｅＮＢ＃１と移動局ＵＥとの間で送受信されたデータ量を示す情報を含む「Ｈａｎｄｏｖｅｒ  Ｒｅｑｕｅｓｔ」を送信する工程とを有してもよい。
【００６５】
本実施形態の第１の特徴において、無線基地局ｅＮＢ＃１が、無線基地局ｅＮＢ＃２に対して、無線基地局ｅＮＢ＃１において移動局ＵＥのために管理されているバッファリングデータ量を示す情報を含む「Ｈａｎｄｏｖｅｒ  Ｒｅｑｕｅｓｔ」を送信する工程とを有してもよい。
【００６６】
本実施形態の第２の特徴は、無線基地局ｅＮＢ＃１配下のセル＃１において通信を行っている場合に、無線基地局ｅＮＢ＃２配下のセル＃２にハンドオーバし、無線基地局ｅＮＢ＃２配下のセル＃２において搬送周波数の異なる複数のキャリアを用いて通信することができるように構成されている移動局ＵＥであって、無線基地局ｅＮＢ＃２配下のセル＃２において通信を開始する際に、受信した「Ｈａｎｄｏｖｅｒ  Ｃｏｍｍａｎｄ」に含まれている「Ａｃｔｉｖａｔｉｏｎ/Ｄｅａｃｔｉｖａｔｉｏｎ  Ｓｔａｔｕｓ」に応じて、ＣＣの各々を、アクティブ状態又は非アクティブ状態のどちらかに設定するように構成されているＭＡＣレイヤ機能部２２（設定部）を具備することを要旨とする。
【００６７】
本実施形態の第３の特徴は、無線基地局ｅＮＢ＃１配下のセル＃１において通信を行っている移動局ＵＥが、無線基地局ｅＮＢ＃２配下のセル＃２にハンドオーバし、無線基地局ｅＮＢ＃２配下のセル＃２において搬送周波数の異なる複数のキャリアを用いて通信することができるように構成されている移動通信システムにおいて、無線基地局ｅＮＢ＃２として機能する無線基地局ｅＮＢであって、ＣＣの各々がアクティブ状態又は非アクティブ状態のどちらに設定されるべきかについて示す「Ａｃｔｉｖａｔｉｏｎ/Ｄｅａｃｔｉｖａｔｉｏｎ  Ｓｔａｔｕｓ」を含む「Ｈａｎｄｏｖｅｒ  Ｃｏｍｍａｎｄ」を、無線基地局ｅＮＢ＃１を介して移動局ＵＥに送信するように構成されているハンドオーバ処理部１３（送信部）を具備することを要旨とする。
【００６８】
本実施形態の第３の特徴において、ハンドオーバ処理部１３は、無線基地局ｅＮＢ＃１から、無線基地局ｅＮＢ＃１においてＣＣの各々がアクティブ状態又は非アクティブ状態のどちらに設定されているかについて示す情報を含む「Ｈａｎｄｏｖｅｒ  Ｒｅｑｕｅｓｔ」を受信するように構成されており、かつ、「Ｈａｎｄｏｖｅｒ  Ｒｅｑｕｅｓｔ」に含まれている情報に基づいて、「Ａｃｔｉｖａｔｉｏｎ/Ｄｅａｃｔｉｖａｔｉｏｎ  Ｓｔａｔｕｓ」を決定するように構成されていてもよい。
【００６９】
本実施形態の第３の特徴において、ハンドオーバ処理部１３は、無線基地局ｅＮＢ＃１から、無線基地局ｅＮＢ＃１と移動局ＵＥとの間で送受信されたデータ量を示す情報を含む「Ｈａｎｄｏｖｅｒ  Ｒｅｑｕｅｓｔ」を受信するように構成されており、かつ、「Ｈａｎｄｏｖｅｒ  Ｒｅｑｕｅｓｔ」に含まれている情報に基づいて、「Ａｃｔｉｖａｔｉｏｎ/Ｄｅａｃｔｉｖａｔｉｏｎ  Ｓｔａｔｕｓ」を決定するように構成されていてもよい。
【００７０】
本実施形態の第３の特徴において、ハンドオーバ処理部１３は、無線基地局ｅＮＢ＃１から、無線基地局ｅＮＢ＃１において移動局ＵＥのために管理されているバッファリングデータ量を示す情報を含む「Ｈａｎｄｏｖｅｒ  Ｒｅｑｕｅｓｔ」を受信するように構成されており、かつ、「Ｈａｎｄｏｖｅｒ  Ｒｅｑｕｅｓｔ」に含まれている情報に基づいて、「Ａｃｔｉｖａｔｉｏｎ/Ｄｅａｃｔｉｖａｔｉｏｎ  Ｓｔａｔｕｓ」を決定するように構成されていてもよい。
【００７１】
本実施形態の第４の特徴は、無線基地局ｅＮＢ＃１配下のセル＃１において通信を行っている移動局ＵＥが、無線基地局ｅＮＢ＃２配下のセル＃２にハンドオーバし、無線基地局ｅＮＢ＃２配下のセル＃２において搬送周波数の異なる複数のキャリアを用いて通信する移動通信方法であって、移動局ＵＥが、無線基地局ｅＮＢ＃２配下のセル＃２において通信を開始する際に、ＣＣの全てをアクティブ状態に設定する工程を有することを要旨とする。
【００７２】
本実施形態の第５の特徴は、無線基地局ｅＮＢ＃１配下のセル＃１において通信を行っている場合に、無線基地局ｅＮＢ＃２配下のセル＃２にハンドオーバし、無線基地局ｅＮＢ＃２配下のセル＃２において搬送周波数の異なる複数のキャリアを用いて通信することができるように構成されている移動局ＵＥであって、無線基地局ｅＮＢ＃２配下のセル＃２において通信を開始する際に、ＣＣの全てをアクティブ状態に設定するように構成されているＭＡＣレイヤ機能部２２（設定部）を具備することを要旨とする。
【００７３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ｅＮＢ…無線基地局
ＵＥ…移動局
１１、２１…ＲＲＣレイヤ機能部
１２、２２…ＭＡＣレイヤ機能部
１３…ハンドオーバ処理部
１４…通信部
【図１】
0005396330.tif 000002
【図２】
0005396330.tif 000003
【図３】
0005396330.tif 000004
【図４】
0005396330.tif 000005
【図５】
0005396330.tif 000006